【事件の表示】
　特願２００５−３２８７８３「二重壁紙カップ」拒絶査定不服審判事件〔平成１８年６月８日出願公開、特開２００６−１４３３３１〕について、次のとおり審決する。
【結　論】
　本件審判の請求は、成り立たない。
【理　由】
　１．手続の経緯
　本願は、平成１７年１１月１４日（パリ条約に基づく優先権主張２００４年１１月２２日、独国）の出願であって、平成２３年１０月２８日付けで拒絶査定がなされ、これに対し、平成２４年３月２日付けで拒絶査定不服審判の請求がなされ、同時に同日付けで特許請求の範囲を対象とする手続補正がなされたものである。
　
　２．平成２４年３月２日付けの手続補正（以下、「本件手続補正」という。）についての補正却下の決定
〔補正却下の決定の結論〕
　本件手続補正を却下する。
〔理由〕
（１）補正後の本願発明
　本件手続補正により、特許請求の範囲の請求項１は、
「二重壁の積み重ね可能及び積み重ねをはずすことが可能な紙カップであって、カップ底を持つ内部套管を含み、また外部套管と内部套管の間に隙間を持つ外部套管を含み、また外部套管の下部端に付与されかつ内部套管に配置されたロール加工縁を含み、また内部套管に形成された停止面を含むものにおいて、停止面（５）が肩として設計され、肩の真上の内部套管の第１点と肩の真下の内部套管の第２点との間で内部套管（１）の直径が不連続的に減少され、内部套管が、肩の真下に円筒状領域を含み、肩が内部套管の下半分に配置されており、下部ロール加工縁（１１）の支持部（１３）がカップ底（４）のレベルでまたはカップ底（４）の下で内部套管（１）の外表面（２５）に当接されることを特徴とする二重壁紙カップ。」
と補正された。
　上記補正は、補正前の請求項１に記載された発明を特定する事項である「内部套管」について限定する「内部套管が、肩の真下に円筒状領域を含み」との事項を付加するものである。
　そして、補正後の請求項１に記載された発明は、補正前の請求項１に記載された発明と、発明の産業上の利用分野及び解決しようとする課題が異なるものではない。
　したがって、上記補正は、平成１８年改正前法律第５５号改正附則第３条第１項によりなお従前の例によるとされる同法による改正前の特許法（以下、「平成１８年改正前特許法」という。）第１７条の２第４項第２号に規定する特許請求の範囲の減縮を目的とするものに該当する。
　そこで、本件手続補正後の上記請求項１に記載された事項により特定される発明（以下、「本願補正発明」という。）が、特許出願の際独立して特許を受けることができるものであるか（平成１８年改正前特許法第１７条の２第５項において準用する同法第１２６条第５項の規定に適合するか）について、以下に検討する。
　
（２）引用例の記載事項
　原査定の拒絶の理由に引用された、本願の優先権主張日前の平成１６年７月２９日に頒布された刊行物である特表２００４−５２２６５４号公報（以下、「引用例」という。）には、次の記載がある。
　ａ「【請求項１】周囲壁（２）と底部壁を有する厚紙製容器（１）であって、各容器（１）に積み重ねて配置されるとき、容器を支持するための手段（４）が備わることを特徴とする容器（１）。
【請求項２】前記支持手段が、前記周囲壁（２）内にある請求項１に記載の容器（１）。
【請求項３】前記周囲壁（２）が、第二の外壁（７）を備える積層構造を有して成る請求項１又は２に記載の容器（１）。
【請求項４】前記支持手段が、前記周囲壁（２）上に周囲に沿って形成されたひだ（４）である前記請求項の何れか一つに記載の容器（１）。
【請求項５】前記ひだ（４）が容器（１）に対して内側に延びて成る請求項４に記載の容器（１）。
【請求項６】前記ひだ（４）が前記周囲壁（２）上に全周に亘って、又は、とびとびにある請求項４に記載の容器（１）。」
　
　ｂ「【０００１】本発明は飲料用容器であって、より正確には、ホットドリンクが入っているとき、つかめるようにするための積層構造の厚紙（ボール紙）を有するタイプのものに関する。
【背景技術】【０００２】ホットドリンク用容器として数種のものが知られているが、これ等は通常、積層厚紙……等の適宜の材料で出来ており、後の販売のために積み重ね自在となっている。」
　
　ｃ「【０００３】従って、本発明の目的は、積み重ね易いが、積み重ね状態では互いに嵌まり込まない積層化壁を厚紙製容器に設けることにより、上記の問題を克服しようとするものである。
【課題を解決するための手段】【０００４】そこで、本発明により、周囲壁と底部壁を有するホットドリンク用の厚紙製容器であって、各容器に積み重ねて配置されるとき、容器を支持するための手段が更に備わることを特徴とする容器が提供される。」
　
　ｄ「【０００６】図１を参照すると、組み立てられると、外面２と内面３（本図では図示せず）を有する本容器となる素材片１が示されている。本発明の第一の方法によると、面２に、組み立て後の容器に対して内側に突出するひだ（折り目、しわ）４が得られるようにする（後に詳しく図に示す）。図２を参照して、本発明の容器を製造するためのもう一つの方法を説明する。単純化するため、同一参照番号は同一の構成部分を示すものとする。この代替方法では、まだひだが形成されていない容器が成形回転支持部材５上に配置される。回転支持部材５にはその面に周囲溝があって、この回転支持部材５に相補ローレット６が回転係合すると、この周囲溝が容器１の外面２に各ひだ（内ひだ）を形成する。……次に図３を参照して、本発明の方法で製造された容器１の実施例を部分断面図で示す。容器の本実施例では、容器には積層壁、つまり従来技術で既知の各形成工程で容器１上に固定して配置された第二の外壁７がある。この配置により、壁７及び２にエアギャップによる断熱効果を奏させ、特にホットドリンクのために適した容器１を製造することが出来る。同図から明らかなように、ひだ（内ひだ）４の形成により、容器１が他の容器１内に挿入されると、第二の外壁７の周囲縁部８がひだ（内ひだ）４上に係止しようとすることにより、他の同一容器に対する完全な積み重ねが可能になる。ひだ（内ひだ）４を設けることにより、他の容器に一旦挿入された容器が、他の容器の外壁に嵌まり込んでしまうことが無い。つまり、ひだ（内ひだ）４によって外壁７に支持が与えられることにより、容器１は位置が維持され、その外壁７が各下側の容器１の内壁に密嵌することが無く、従ってその嵌まり込みが回避される。」
　
　ｅ　図３から、第二の外壁７の周囲縁部８が、ロール状であり、第二の外壁７の下部端にあること、及び周囲縁部８が、外面２に配置されていることが見て取れる。また、容器１の外面２の部分は、第二の外壁７の内側にある管状の構造であるから、内部管と称することができ、同様に、第二の外壁７の部分は、外部管と称することができる。
　
　ｆ　図３から、内部管が底部壁を有すること、内部管と外部管との間に隙間があること、ひだ４が内部管の下半分に配置されていること、が見て取れる。
　
　以上の記載及び図１ないし３によれば、引用例には、次の発明が記載されていると認められる。（以下、「引用発明」という。）
　　《引用発明》
　容器１の外面２と、第二の外壁７を有し、積み重ね状態では互いに嵌まり込まない積層化壁を設けた厚紙製容器であって、
　底部壁を有する内部管と、内部管と外部管との間に隙間がある外部管を備え、
　外部管の下部端にロール状の周囲縁部８を備え、該周囲縁部８が、外面２に配置されており、
　内部管に周囲縁部８が係止するひだ４が設けられており、該ひだ４が内部管の下半分に配置されている、厚紙製容器。
　
（３）対比
　本願補正発明と引用発明とを対比すると、引用発明の「積層化壁を設けた厚紙製容器」は、本願補正発明の「紙カップ」及び「二重壁紙カップ」に相当し、同様に、
　「底部壁」は「カップ底」に、
　「内部管」は「内部套管」に、
　「外部管」は「外部套管」に、
　「ロール状の周囲縁部８」は「ロール加工縁」に、
それぞれ相当する。
　引用発明の「容器１の外面２と、第二の外壁７を有し、積み重ね状態では互いに嵌まり込まない積層化壁を設けた厚紙製容器」は、本願補正発明の「二重壁の積み重ね可能及び積み重ねをはずすことが可能な紙カップ」との要件を満たす。
　引用発明の「底部壁を有する内部管と、内部管と外部管との間に隙間がある外部管を備え」は、本願補正発明の「カップ底を持つ内部套管を含み、また外部套管と内部套管の間に隙間を持つ外部套管を含み」との要件を満たす。
　引用発明の「外部管の下部端にロール状の周囲縁部８を備え、該周囲縁部８が、外面２に配置されており」は、本願補正発明の「外部套管の下部端に付与されかつ内部套管に配置されたロール加工縁を含み」との要件を満たす。
　引用発明の「内部管に周囲縁部８が係止するひだ４が設けられており」は、本願補正発明の「内部套管に形成された停止面を含む」との要件を満たす。
　引用発明の「ひだ４が内部管の下半分に配置されており」と本願補正発明の「肩が内部套管の下半分に配置されており」とは、内部套管に形成された停止面が、内部套管の下半分に配置されていることを限度として相当する。
　
　そうすると、本願補正発明と引用発明との一致点及び相違点は、次のとおりである。
　
　　《一致点》
　二重壁の積み重ね可能及び積み重ねをはずすことが可能な紙カップであって、
　カップ底を持つ内部套管を含み、また外部套管と内部套管の間に隙間を持つ外部套管を含み、
　また外部套管の下部端に付与されかつ内部套管に配置されたロール加工縁を含み、
　また内部套管に形成された停止面を含むものにおいて、
　停止面が内部套管の下半分に配置されている、二重壁紙カップ。
　
　　《相違点１》
　本願補正発明では、停止面が肩として設計され、肩の真上の内部套管の第１点と肩の真下の内部套管の第２点との間で内部套管の直径が不連続的に減少され、内部套管が、肩の真下に円筒状領域を含むのに対し、
　引用発明では、停止面がひだである点。
　
　　《相違点２》
　本願補正発明では、下部ロール加工縁の支持部がカップ底のレベルでまたはカップ底の下で内部套管の外表面に当接されるのに対し、
　引用発明では、下部ロール加工縁の支持部がカップ底の上で内部套管の外表面に当接される（引用例の図３参照）点。
　
（４）相違点の検討
　《相違点１》について
　停止面が肩として設計され、肩の真上の套管の第１点と肩の真下の套管の第２点との間で套管の直径が不連続的に減少され、套管が、肩の真下に円筒状領域を含む構造は、例えば、拒絶査定時に周知例として示された特開昭５１−７１３８０号公報（第１図、第２図、第９図〜第１２図及びそれらの説明を参照）、実願昭６２−１１２４３４号（実開昭６４−１７９３５号）のマイクロフィルム（第４図、第５図及びそれらの説明を参照）に示されており、周知の技術的事項である。したがって、引用発明の内部管に、この周知の技術的事項を適用して、相違点１に係る本願補正発明の構成とすることは当業者が容易に推考し得たことである。
　
　《相違点２》について
　下部ロール加工縁の支持部がカップ底のレベルでまたはカップ底の下で内部套管の外表面に当接される構造は、例えば、原審の拒絶の理由の引用例として示された特開２００２−３５５９０６号公報（図１参照）、特開平１１−３２１９３６号公報（図５参照）、特開平１１−３４２９８２号公報（図４(ｃ)参照）、特開２０００−２０３６６４号公報（図１参照）、特開２００１−１８０６４７号公報（図１参照）に示されており、周知の技術的事項である。したがって、引用発明に、この周知の技術的事項を適用して、相違点２に係る本願補正発明の構成とすることは当業者が容易に推考し得たことである。
　
　しかも、本願補正発明が奏する効果も、引用発明及び周知の技術的事項から当業者が予測できたものであって、格別顕著なものとはいえない。
　したがって、本願補正発明は、引用発明及び周知の技術的事項に基いて、当業者が容易に発明をすることができたものであるから、特許法第２９条第２項の規定により、特許出願の際独立して特許を受けることができないものである。
　
（５）まとめ
　以上のとおり、本件手続補正は、平成１８年改正前特許法第１７条の２第５項において準用する同法第１２６条第５項の規定に違反するものであり、同法第１５９条第１項において読み替えて準用する同法第５３条第１項の規定により却下されるべきものである。
　
　３．本願発明について
（１）本願発明
　上記のとおり、本件手続補正は却下されたので、本願の請求項１ないし７に係る発明は、平成２３年９月１６日付けの手続補正により補正された特許請求の範囲の請求項１ないし７に記載された事項により特定されるものと認められるところ、請求項１は次のとおり記載されている。
「二重壁の積み重ね可能及び積み重ねをはずすことが可能な紙カップであって、カップ底を持つ内部套管を含み、また外部套管と内部套管の間に隙間を持つ外部套管を含み、また外部套管の下部端に付与されかつ内部套管に配置されたロール加工縁を含み、また内部套管に形成された停止面を含むものにおいて、停止面（５）が肩として設計され、肩の真上の内部套管の第１点と肩の真下の内部套管の第２点との間で内部套管（１）の直径が不連続的に減少され、肩が内部套管の下半分に配置されており、下部ロール加工縁（１１）の支持部（１３）がカップ底（４）のレベルでまたはカップ底（４）の下で内部套管（１）の外表面（２５）に当接されることを特徴とする二重壁紙カップ。」（以下、請求項１に係る発明を、「本願発明」という。）
　
（２）引用例の記載事項
　原査定の拒絶の理由に引用された引用例及びその記載事項は、上記２（２）に記載したとおりである。
　
（３）対比・検討
　本願発明は、上記２（１）で検討した本願補正発明から、「内部套管」について限定する「内部套管が、肩の真下に円筒状領域を含み」との事項を省いたものである。
　そうすると、本願発明を特定する事項を全て含み、さらに他の特定する事項を付加したものに相当する本願補正発明が、上記２（４）に記載したとおり、引用発明及び周知の技術的事項に基いて、当業者が容易に発明をすることができたものであるから、本願発明も、同様の理由により、引用発明及び周知の技術的事項に基いて、当業者が容易に発明をすることができたものである。
　
（４）回答書に記載された補正案について
　ア．請求人は、平成２４年１１月１６日付けの回答書において、特許請求の範囲をさらに限定する用意がある旨主張し、手続補正書（案１）及び手続補正書（案２）を提示している。回答書に記載された補正案には法的根拠がないが、念のため、それらについての見解も示す。手続補正書（案１）及び手続補正書（案２）の請求項１は、それぞれ次のとおりである。
　　《手続補正書（案１）》
【請求項１】二重壁の積み重ね可能及び積み重ねをはずすことが可能な紙カップであって、カップ底を持つ内部套管を含み、また外部套管と内部套管の間に隙間を持つ外部套管を含み、また外部套管の下部端に付与されかつ内部套管に配置されたロール加工縁を含み、また内部套管に形成された停止面を含むものにおいて、停止面（５）が肩として設計され、肩の真上の内部套管の第１点と肩の真下の内部套管の第２点との間で内部套管（１）の直径が不連続的に減少され、内部套管が、肩の真下に円筒状領域を含み、肩が内部套管の下半分に配置されており、下部ロール加工縁（１１）の支持部（１３）がカップ底（４）のレベルでまたはカップ底（４）の下で内部套管（１）の外表面（２５）に当接されること
、及び紙カップが、折り畳みマンドレルの周りに折り畳まれた板紙から作られていること
　
　　《手続補正書（案２）》
【請求項１】二重壁の積み重ね可能及び積み重ねをはずすことが可能な紙カップであって、カップ底を持つ内部套管を含み、また外部套管と内部套管の間に隙間を持つ外部套管を含み、また外部套管の下部端に付与されかつ内部套管に配置されたロール加工縁を含み、また内部套管に形成された停止面を含むものにおいて、停止面（５）が肩として設計され、肩の真上の内部套管の第１点と肩の真下の内部套管の第２点との間で内部套管（１）の直径が不連続的に減少され、内部套管が、肩の真下に円筒状領域を含み、肩が内部套管の下半分に配置されており、下部ロール加工縁（１１）の支持部（１３）がカップ底（４）のレベルでまたはカップ底（４）の下で内部套管（１）の外表面（２５）に当接されること
、及び内部套管に形成された停止面（５）が同様に積み重ねられる別の紙カップのロール加工縁のためのものであること
　
　イ．しかしながら、「紙カップが、折り畳みマンドレルの周りに折り畳まれた板紙から作られていること」は、例えば、原審の拒絶の理由で示された前記特開２００２−３５５９０６号公報に記載されており、周知の技術的事項であり、また、「内部套管に形成された停止面が同様に積み重ねられる別の紙カップのロール加工縁のためのものであること」は、引用例（特表２００４−５２２６５４号公報）に示されている事項である。したがって、これら手続補正書（案１）及び手続補正書（案２）を考慮したとしても、本審決の結論に変わりはない。
　
（５）むすび
　以上のとおり、本願発明は、特許法第２９条第２項の規定により特許を受けることができないものであるから、他の請求項に係る発明について検討するまでもなく、本願は拒絶されるべきものである。
　よって、結論のとおり審決する。